(57)【要約】      （修正有）【課題】男性小用時の尿の周辺への飛び跳ねを防止し、さらに、不使用時にもトイレ周辺を清潔に保つことができる尿はね防止器具を提供する。【解決手段】尿はね防止器具は、一端が可撓性のホースに接続された受尿筒３と尿を便器内に誘導する尿誘導ホース４と、受尿筒３及び尿誘導ホース４を載置する棚板５からなる。使用時には、受尿筒３を使って放尿し、放尿された尿は尿誘導ホース４を使って便器１内に誘導され、尿はねを防止する。さらに、不使用時には、棚板５を回動させて、便器１の背面または側面に移動させて使用する。【選択図】図１
0003212104.tif 000002
【実用新案登録請求の範囲】
【請求項１】
男性が放尿する際の尿はねを防止するための器具であって、放尿を便器内に確実に誘導するために、放尿を受ける取手及び蓋を有する受尿筒と、該受尿筒の一端に接続された可撓性の尿誘導ホースと、該受尿筒並びに該尿誘導ホースを載置する有孔の棚板とを備えていることを特徴とする尿はね防止器具。
【請求項２】
請求項１記載の棚板が回動することを特徴とする請求項１記載の尿はね防止器具。
【請求項３】
請求項１記載の尿誘導ホースの一端を収納する容器を有することを特徴とする請求項２記載の尿はね防止器具。
【考案の詳細な説明】
【技術分野】
【０００１】
本考案は、洋式便器において、男子小用時の尿はねの拡散を防止するため、放尿をガイドする器具を洋式便器に付加して、尿はねの拡散を防ぐものである。
【背景技術】
【０００２】
男性が正立姿勢で放尿する際には、排尿機関を手等で支持することにより尿の放出軌道を調整している。排尿位置が便器のかなり上方となるため、便器の外部に尿はねが拡散し、便器周辺の壁面や床等を汚すことが多い。この課題を解決するために、放尿された尿を確実に便器内にガイドするための器具が開示されている。例えば、特許文献１においては、放尿ガイド筒とそれを便器内で支持する支持具で構成される男性放尿ガイド器具が開示されている。
【先行技術文献】
【特許文献】
【０００３】
【特許文献１】特許第３５１３７４９号公報
【考案の概要】
【考案が解決しようとする課題】
【０００４】
しかしながら、従来技術では、尿はね防止器具の不使用時の収納方法等の対応が十分でなく悪臭の発生等の課題がある。そこで、尿はね機能を有しつつ、かつ、不使用時に対応した尿はね防止器具の提案が強く望まれている。
【０００５】
本考案は、上記事情に鑑みてなされたものであり、排尿された尿を確実に受け止め、そして便器内部へ誘導し、尿はねを効果的に防止するという機能を有しつつ、不使用時には、該尿はね防止器具を便器周辺の適切な位置に載置し、使用するときのみ取り出すことができるようにした尿はね防止器具を提供することを目的とする。
【課題を解決するための手段】
【０００６】
上記目的を達成するために、尿はね防止器具に係る請求項１の考案は、男性が放尿する際の尿はねを防止するための器具であって、放尿を便器内に確実に誘導するために、取手及び蓋を有する受尿筒と、該受尿筒の一端に接続された可撓性の尿誘導ホースと、該受尿筒並びに該尿誘導ホースを載置する有孔の棚板とを備えていることを特徴とする。
【０００７】
本考案によれば、本尿はね防止器具を使用するときには、受尿筒を手動で排尿機関に誘導することができ、排尿された尿は確実に受け止められる。また、尿誘導ホースは可撓性があるので、該誘導ホースの先端を便器内部に容易に配置することができ、受尿筒で受け止められた尿を確実に便器内部へと誘導することができる。さらに、不使用時には、棚板に戻し蓋をすることで邪魔にならない場所に収納することができる。
【０００８】
請求項２にかかる考案は、請求項１記載の棚板が回転することによって、尿はね防止器具の取出し及び収納を容易にしたものである（請求項２）。
【０００９】
請求項３にかかる考案は、請求項１記載の誘導ホースを収納するための容器を設け、本尿はね防止器具使用後に該誘導ホースの先端から滴り落ちる尿を受け止めることができるようにした考案である（請求項３）。
【考案の効果】
【００１０】
本考案の尿はね防止器具によれば、男性が放尿する際の尿はねを防止することが可能となる。また、不使用時には取り出しやすい適切な位置に収納、設置することができる。さらに、受尿筒に取手を付加したことによって、身障者及び高齢者の排尿を容易にした。よって、トイレ内の便器周辺の汚れを防ぐことで、トイレを清潔にすることができ、衛生的な環境を保つことができる。
【図面の簡単な説明】
【００１１】
【図１】本考案の実施形態にかかる尿はね防止器具が、洋式トイレに設置され、男性が本考案にかかる尿はね防止器具を使用するときの態様図である。
【図２】本考案の使用時（排尿時）の態様図である。
【図３】本考案の使用時（尿排出時）の態様図である。
【図４】本考案の不使用時の態様図である。
【考案を実施するための形態】
【００１２】
以下、本考案の実施形態について図面を参照して詳細に説明する。
【００１３】
図１は、本考案の実施形態にかかる尿はね防止器具が洋式トイレに設置された場合の態様図及び本考案の構成を示す図である。図２は、本考案の使用時（排尿時）の態様を表す図、図３は、本考案の使用時（尿排出時）の態様を表す図である。さらに、図４は、本考案の不使用時の態様を表す図である。
【００１４】
これらの図を参照して本考案の尿はね防止器具の全体構成の概要を説明すると、尿はね防止器具２は、排尿を受けるための受尿筒３と、尿を洋式便器１に誘導する誘導する尿誘導ホース４と、受尿筒３及び尿誘導ホース４を載置する棚板５から構成されている。
【００１５】
受尿筒３は、尿を受ける大きさのものであれば形状や大きさ並びに長さは特に限定されない。
【００１６】
受尿筒３の材質は、洗浄可能性の点からプラスチック製のもの、特にポリエチレン製、ポリプロピレン製のものが好ましい。
【００１７】
尿誘導ホース４は、受尿筒３の一端に接続されている可撓性のある素材からなるホースである。使用時には、尿誘導ホース４の受尿筒３に接続されていない端部を洋式便器１に設置して使用する。
【００１８】
棚板５は、底面に空隙５１を有する板状の容器であり、図４に示すように、上部に受尿筒３を配置し、空隙５１を経由して棚板５の下部に尿誘導ホース４が配置されている。
【００１９】
棚板５は、様式便器１の側に配置されているポール６に洋式便器１の高さより高い位置に回動可能なように付設されており、図２に示すように使用時には受尿筒３を洋式便器１の上面まで回動して、尿を受けやすくし、使用が終われば、再び回動して、洋式便器１の背面や側面に動かすことが可能となる。
【００２０】
棚板５の材質及び受尿筒３の材質は、洗浄可能性の点からプラスチック製のもの、特にポリエチレン製、ポリプロピレン製のものが好ましい。
【００２１】
使用時の態様は、図１及び図２が示すように、男性が、棚板５に設置されている受尿筒３の取手３１を使って、受尿筒３を洋式便器１の上面まで動かし、さらに尿誘導ホース４の下端を洋式便器１に配置し、放尿する。次に、排尿時には、図３に示すように、受尿された尿は、尿誘導ホース４を経由して洋式便器１の内部に流入する。排尿が終わった時点では、図４が示すように、棚板５を回動させて、受尿筒３及び尿誘導ホース４を洋式便器１の背面または側面に移動させる。
【００２２】
なお、本考案は、上述した実施形態に限定されることなく実用新案登録請求の範囲を逸脱しない範囲において種々の変形実施、応用実施が可能であることは勿論である。
【産業上の利用可能性】
【００２３】
本考案は、男性が洋式便器を使用するときの尿はねを防止し、トイレ周辺を清潔で、衛生的な環境に保つことができる器具を提供する。これにより、新たな需要を喚起し各種の業界の発展に寄与する。
【符号の説明】
【００２４】
１：洋式便器
２：尿はね防止器具
３：受尿筒
３１：取手
３２：蓋
４：尿誘導ホース
５：棚板
５１：空隙
６：ポール
【図１】
0003212104.tif 000003
【図２】
0003212104.tif 000004
【図３】
0003212104.tif 000005
【図４】
0003212104.tif 000006
【手続補正書】
【提出日】平成29年6月24日(2017.6.24)
【手続補正１】
【補正対象書類名】明細書
【補正対象項目名】０００２
【補正方法】変更
【補正の内容】
【０００２】
男性が正立姿勢で放尿する際には、排尿器官を手等で支持することにより尿の放出軌道を調整している。排尿位置が便器のかなり上方となるため、便器の外部に尿はねが拡散し、便器周辺の壁面や床等を汚すことが多い。この課題を解決するために、放尿された尿を確実に便器内にガイドするための器具が開示されている。例えば、特許文献１においては、放尿ガイド筒とそれを便器内で支持する支持具で構成される男性放尿ガイド器具が開示されている。